(57)【要約】【課題】  この発明は、特殊再生モード時においても、再生映像が”ノーマル記録モード”で記録されたものか”アラーム記録モード”で記録されたかをユーザが認識しやすくなる記録再生装置を提供することを目的とする。【解決手段】  記録再生装置において、再生映像がアラーム記録モードで記録された映像であることを報知するための音声データを記憶している記憶手段、特殊再生モード時において、付加情報に基づいて、アラーム記録モードによって記録された映像部分の再生が開始されることを検出する手段、およびアラーム記録モードによって記録された映像部分の再生が開始されることが検出されたときに、上記記憶手段に記憶されている音声データを再生出力する手段を備えている。【選択図】  図１
2005322355.tif 000002
【特許請求の範囲】
【請求項１】
記録モードとして、通常記録状態であるノーマル記録モードと、アラーム信号が発生したときに行われるアラーム記録モードとがあり、記録時には、映像および音声信号の他に、記録モードの種類が付加情報として記録媒体に記録される記録再生装置であって、特殊再生時には上記記録媒体に記録された音声信号の再生が行われない記録再生装置において、
再生映像がアラーム記録モードで記録された映像であることを報知するための音声データを記憶している記憶手段、
特殊再生モード時において、付加情報に基づいて、アラーム記録モードによって記録された映像部分の再生が開始されることを検出する手段、および
アラーム記録モードによって記録された映像部分の再生が開始されることが検出されたときに、上記記憶手段に記憶されている音声データを再生出力する手段、
を備えていることを特徴とする記録再生装置。
【請求項２】
記録モードとして、通常記録状態であるノーマル記録モードと、アラーム信号が発生したときに行われるアラーム記録モードとがあり、記録時には、映像および音声信号の他に、記録モードの種類が付加情報として記録媒体に記録される記録再生装置であって、特殊再生時には上記記録媒体に記録された音声信号の再生が行われない記録再生装置において、
再生映像がアラーム記録モードで記録された映像であることを報知するための第１音声データと、再生映像がノーマル記録モードで記録された映像であることを報知するための第２音声データとを記憶している記憶手段、
特殊再生モード時において、付加情報に基づいて、アラーム記録モードによって記録された映像部分の再生が開始されることを検出する手段、
特殊再生モード時において、付加情報に基づいて、アラーム記録モードによって記録された映像部分の再生が終了して、ノーマル記録モードによって記録された映像部分の再生が開始されることを検出する手段、
アラーム記録モードによって記録された映像部分の再生が開始されることが検出されたときに、上記記憶手段に記憶されている第１音声データを再生出力する手段、および
アラーム記録モードによって記録された映像部分の再生が終了して、ノーマル記録モードによって記録された映像部分の再生が開始されることが検出されたときに、上記記憶手段に記憶されている第２音声データを再生出力する手段、
を備えていることを特徴とする記録再生装置。
【請求項３】
記録時には、映像および音声信号の他に、記録時刻を表す情報が付加情報として記録媒体に記録される記録再生装置であって、特殊再生時には上記記録媒体に記録された音声信号の再生が行われない記録再生装置において、
再生映像の記録時刻に関する情報を報知するための音声データを記憶している記憶手段、および
特殊再生モード時において、再生映像の記録時刻に対応する音声データを記憶手段から読み出して、再生出力する手段、
を備えていることを特徴とする記録再生装置。
【請求項４】
特殊再生モードが、早送り再生モードおよび早戻し再生モードのうちから任意に選択された１つの再生モードであることを特徴とする請求項１、２および請求項３のいずれかに記載の記録再生装置。
【発明の詳細な説明】
【技術分野】
【０００１】
この発明は、監視用などに用いられる記録再生装置に関する。
【背景技術】
【０００２】
監視用の記録再生装置では、記録モードとして、ノーマル記録モードと、アラーム記録モードとがある。ノーマル記録モードとは、通常の記録モードであり、映像および音声データの他、ノーマル記録モードであることを示す情報が、付加情報として記録媒体に記録される。アラーム記録モードとは、ノーマル記録モードによる記録が行われているときに、監視領域に設置された検知器によって人等が検知されたときに、一定期間の間、行われる記録モードであり、映像データの他、アラーム記録モードであることを示す情報が、付加情報として記録媒体に記録される。
【０００３】
アラーム記録モードは検知器によって人等が検知された場合に行われるため、アラーム記録モード時には、ノーマル記録モード時に比べて、重要なシーンが記録される可能性が高い。そこで、再生時に重要なシーンを検索しやすくするため、ノーマル記録モードによる記録であるか、アラーム記録モードによる記録であるかを示す情報が、記録媒体に付加情報として記録されているのである。
【０００４】
一般的には、ノーマル記録モード時には、数フレーム（数フィールド）に１回の割合で映像データが記録され、アラーム記録モードでは全てのフレームが記録されるというように、アラーム記録モード時にはノーマル記録モード時に比べて時間的に密度の高い記録が行われるようになっている。また、記録媒体に記録される付加情報としては、上記のような記録モードを表す情報の他、記録時刻を表す情報（年月日時分秒）等がある。
【０００５】
通常再生モード時には、再生映像が”ノーマル記録モード”で記録されたものか”アラーム記録モード”で記録されたかをユーザに知らせるために、”ノーマル記録モード”または”アラーム記録モード”を表す文字が再生画面上にオンスクリーン表示される。また、記録時刻を表す情報（年月日時分秒）も、再生画面上にオンスクリーン表示される。
【０００６】
ところで、再生モードには、通常再生モードの他に、早送り再生モード（ＣＵＥ）、早戻し再生モード（ＲＥＶ）、スロー再生モード等の特殊再生モードがある。このような特殊再生モード時には、再生映像と再生音声の同期がとれないことから、再生音声を出力させないようにしている。しかしながら、記録モードを示す情報や記録時刻を表す情報の表示は、特殊再生モード時にも行われている。
【０００７】
早送り再生（ＣＵＥ）時や早戻し再生（ＲＥＶ）時には、再生映像及びオンスクリーン表示が高速で変化するため、オンスクリーン表示の内容を認識することが困難となる。特に、”アラーム記録モード”を表すオンスクリーン表示は、一瞬の表示となるため、見落とす可能性が高い。
【発明の開示】
【発明が解決しようとする課題】
【０００８】
この発明は、特殊再生モード時においても、再生映像が”ノーマル記録モード”で記録されたものか”アラーム記録モード”で記録されたかをユーザが認識しやすくなる記録再生装置を提供することを目的とする。
【０００９】
この発明は、特殊再生モード時においても、再生映像が記録された時刻をユーザが認識しやすくなる記録再生装置を提供することを目的とする。
【課題を解決するための手段】
【００１０】
請求項１に記載の発明は、記録モードとして、通常記録状態であるノーマル記録モードと、アラーム信号が発生したときに行われるアラーム記録モードとがあり、記録時には、映像および音声信号の他に、記録モードの種類が付加情報として記録媒体に記録される記録再生装置であって、特殊再生時には上記記録媒体に記録された音声信号の再生が行われない記録再生装置において、再生映像がアラーム記録モードで記録された映像であることを報知するための音声データを記憶している記憶手段、特殊再生モード時において、付加情報に基づいて、アラーム記録モードによって記録された映像部分の再生が開始されることを検出する手段、およびアラーム記録モードによって記録された映像部分の再生が開始されることが検出されたときに、上記記憶手段に記憶されている音声データを再生出力する手段を備えていることを特徴とする。
【００１１】
請求項２に記載の発明は、記録モードとして、通常記録状態であるノーマル記録モードと、アラーム信号が発生したときに行われるアラーム記録モードとがあり、記録時には、映像および音声信号の他に、記録モードの種類が付加情報として記録媒体に記録される記録再生装置であって、特殊再生時には上記記録媒体に記録された音声信号の再生が行われない記録再生装置において、再生映像がアラーム記録モードで記録された映像であることを報知するための第１音声データと、再生映像がノーマル記録モードで記録された映像であることを報知するための第２音声データとを記憶している記憶手段、特殊再生モード時において、付加情報に基づいて、アラーム記録モードによって記録された映像部分の再生が開始されることを検出する手段、特殊再生モード時において、付加情報に基づいて、アラーム記録モードによって記録された映像部分の再生が終了して、ノーマル記録モードによって記録された映像部分の再生が開始されることを検出する手段、アラーム記録モードによって記録された映像部分の再生が開始されることが検出されたときに、上記記憶手段に記憶されている第１音声データを再生出力する手段、およびアラーム記録モードによって記録された映像部分の再生が終了して、ノーマル記録モードによって記録された映像部分の再生が開始されることが検出されたときに、上記記憶手段に記憶されている第２音声データを再生出力する手段を備えていることを特徴とする。
【００１２】
請求項３に記載の発明は、記録時には、映像および音声信号の他に、記録時刻を表す情報が付加情報として記録媒体に記録される記録再生装置であって、特殊再生時には上記記録媒体に記録された音声信号の再生が行われない記録再生装置において、再生映像の記録時刻に関する情報を報知するための音声データを記憶している記憶手段、および特殊再生モード時において、再生映像の記録時刻に対応する音声データを記憶手段から読み出して、再生出力する手段を備えていることを特徴とする。
【００１３】
請求項４に記載の発明は、請求項１乃至請求項３に記載の発明において、特殊再生モードが早送り再生モードおよび早戻し再生モードのうちから、任意に選択された１つの再生モードであることを特徴とする。
【発明の効果】
【００１４】
この発明によれば、特殊再生モード時においても、再生映像が”ノーマル記録モード”で記録されたものか”アラーム記録モード”で記録されたかをユーザが認識しやすくなる。
【００１５】
この発明によれば、特殊再生モード時においても、再生映像が記録された時刻をユーザが認識しやすくなる。
【発明を実施するための最良の形態】
【００１６】
以下、図面を参照して、この発明の実施の形態について説明する。
【実施例】
【００１７】
図１は、監視用の記録再生装置の構成を示している。
【００１８】
ALARM ＿INは、常時はＬレベルであり、監視領域に設置された検知器によって人等が検知されたときに、Ｈレベルとなるアラーム信号である。「アラーム信号が発生したとき」とは、アラーム信号がＨレベルになったときを意味する。
VIDEO ＿INは、監視カメラからの入力映像信号である。
VIDEO ＿OUT は、再生時に外部モニタに出力される出力映像信号である。
AUDIO ＿INは、マイクロフォンからの入力音声信号である。
AUDIO ＿OUT は、再生時に外部スピーカに出力される出力音声信号である。
【００１９】
記録開始指令、停止指令、再生指令（特殊再生指令も含む）等は、システムＬＳＩ１に接続された操作部１１によって入力される。システムＬＳＩ１は、ＣＰＵ、ＲＯＭ等を備えている。
【００２０】
〔１〕記録時の動作についての説明
記録時の動作について説明する。
【００２１】
入力映像信号VIDEO ＿INは、ビデオデコーダ(VIDEO DEC) ２によってデジタルの映像データに変換される。ビデオデコーダ(VIDEO DEC) ２によって得られたデジタルの映像データは、システムＬＳＩ１を介して、SDRAM ９に一旦格納される。SDRAM ９に格納された映像データは、システムＬＳＩ１によって読み出されて、圧縮された後、再度SDRAM ９に格納される。
【００２２】
入力音声信号AUDIO ＿INは、Ａ／Ｄ変換器４によってデジタルの音声データに変換される。Ａ／Ｄ変換器４によって得られたデジタルの音声データは、MP3 エンコーダ(MP3 ENC) ５によって圧縮された後、システムＬＳＩ１を介して、SDRAM ９に一旦格納される。
【００２３】
SDRAM ９に格納された圧縮映像データおよび圧縮音声データは、システムＬＳＩ１によって読み出され、付加情報が付加された後、HARD DISK ８に記録される。付加情報としては、記録モード（ノーマル記録モードまたはアラーム記録モード）を表す情報、記録時刻を表す情報（年月日時分秒）等がある。
【００２４】
記録モードは常時はノーマル記録モードであり、アラーム信号がシステムＬＳＩ１に入力されたときから所定時間（例えば、１０秒間）が経過するまでの間は、アラーム記録モードとなる。
【００２５】
なお、ノーマル記録モード時には、数フレーム（数フィールド）に１回の割合で映像データが記録され、アラーム記録モードでは全てのフレームが記録されるというように、アラーム記録モード時にはノーマル記録モード時に比べて時間的に密度の高い記録が行われるようにしてもよい。
【００２６】
〔２〕通常再生モード時の動作についての説明
通常再生モード時の動作について説明する。
【００２７】
システムＬＳＩ１によって、HARD DISK ８から、圧縮映像データ、圧縮音声データおよび付加情報が読み出され、SDRAM ９に一旦格納される。SDRAM ９に格納された圧縮映像データは、システムＬＳＩ１によって読み出されて、伸張される。また、システムＬＳＩ１によって、SDRAM ９に格納された付加情報に基づいて、オンスクリーンデータが生成され、伸張された映像データにオンスクリーンデータが合成される。オンスクリーンデータとしては、再生映像が”ノーマル記録モード”で記録されたものか”アラーム記録モード”で記録されたかを表すためのデータ、再生映像の記録時刻を表すデータ（年月日時分秒）等がある。合成後の映像データは、ビデオエンコーダ(VIDEO ENC) ３によってアナログの映像信号に変換された後、出力映像信号VIDEO ＿OUT として、外部モニタに出力される。      
【００２８】
SDRAM ９に格納された圧縮音声データは、システムＬＳＩ１によって読み出されて、MP3 デコーダ(MP3 DEC) ７に送られて、伸張される。伸張された音声データは、Ｄ／Ａ変換器６によってアナログの音声信号に変換された後、出力音声信号AUDIO ＿OUT として、外部スピーカに出力される。
【００２９】
〔３〕特殊再生モード時の動作についての説明
FLASH MEMORY１０には、アラーム記録モードで記録された映像を再生するときに、再生映像がアラーム記録モードで記録された映像であることを報知するための音声データがMP3 方式で圧縮されたものが格納されている。再生映像がアラーム記録モードで記録された映像であることを報知するための音声データとしては、例えば、「アラーム再生中」に対応する音声データが用いられる。
【００３０】
この例では、特殊再生モードには、早送り再生（ＣＵＥ）、早戻し再生（ＲＥＶ）およびスロー再生があるものとする。
【００３１】
特殊再生時には、システムＬＳＩ１によって、HARD DISK ８から、圧縮映像データ、圧縮音声データおよび付加情報が読み出され、SDRAM ９に一旦格納される。SDRAM ９に格納された圧縮映像データは、システムＬＳＩ１によって読み出されて、伸張される。ただし、SDRAM ９からの圧縮映像データの読み出しは、特殊再生モードに応じて、制御される。早送り再生（ＣＵＥ）では、記録時刻の旧いものから新しい順に、所定フレーム数おきに圧縮映像データが読み出される。早戻し再生（ＲＥＶ）では、記録時刻の新しいものから旧い順に、所定フレーム数おきに圧縮映像データが読み出される。スロー再生では、通常再生と同様に圧縮映像データが読み出されて伸張されるが、同じフレームの映像データが所定回数連続して、ビデオエンコーダ(VIDEO ENC) ３に送られる。
【００３２】
システムＬＳＩ１によって、SDRAM ９に格納された付加情報に基づいて、オンスクリーンデータが生成され、伸張された映像データにオンスクリーンデータが合成される。合成後の映像データは、ビデオエンコーダ(VIDEO ENC) ３によってアナログの映像信号に変換された後、出力映像信号VIDEO ＿OUT として、外部モニタに出力される。なお、特殊再生モード時においては、SDRAM ９に格納された圧縮音声データは再生されない。
【００３３】
システムＬＳＩ１は、SDRAM ９に格納された付加情報に基づいて、アラーム記録モードで記録された部分の再生が開始されるか否かを判別する。そして、アラーム記録モードで記録された部分の再生が開始されると判別したときには、FLASH MEMORY１０内の圧縮音声データ（「アラーム再生中」に対応する圧縮音声データ）を読み出して、SDRAM ９を介して、MP3 デコーダ(MP3 DEC) ７に送る。MP3 デコーダ(MP3 DEC) ７は、圧縮音声データ（「アラーム再生中」に対応する圧縮音声データ）を伸張する。伸張された音声データは、Ｄ／Ａ変換器６によってアナログの音声信号に変換された後、出力音声信号AUDIO ＿OUT として、外部スピーカに出力される。
【００３４】
したがって、アラーム記録モードで記録された映像部分が再生される際には、「アラーム再生中」という音声が出力されることになる。このため、特殊再生モード時においても、再生映像が”ノーマル記録モード”で記録されたものか”アラーム記録モード”で記録されたかをユーザが認識しやすくなる。
【００３５】
なお、FLASH MEMORY１０に、再生映像がアラーム記録モードで記録された映像であることを報知するための第１の圧縮音声データとともに、再生映像がノーマル記録モードで記録された映像であることを報知するための第２圧縮音声データ（例えば、「ノーマル再生中」等の音声データを圧縮したもの）を格納しておき、特殊再生時において、アラーム記録モードで記録された部分の再生が開始されると判別したときには、上述したように、第１の圧縮音声データを再生出力させ、アラーム記録モードによって記録された映像部分の再生が終了して、ノーマル記録モードによって記録された映像部分の再生が開始されると判別したときに、第２圧縮音声データを再生出力させるようにしてもよい。
【００３６】
また、複数の監視カメラからの入力映像信号と、各監視カメラ毎のアラーム信号とを入力させ、複数の監視カメラからの入力映像信号を時間分割してHARD DISK ８に記録するような場合には、監視カメラの番号およびアラーム信号の番号をも付加情報としてHARD DISK ８に記録するようにする。そして、特殊再生時において、アラーム記録モードで記録された映像部分が再生される際には、アラーム信号の番号が分かるように、「アラームＮｏ．１再生中」というような音声を出力させるようにしてもよい。
【００３７】
なお、特殊再生モード時において、付加情報中の記録時刻情報に基づいて、再生映像の記録時刻を、例えば、月単位または日単位で音声出力させるようにしてもよい。この場合には、FLASH MEMORY１０内に、各月の名称（一月（いちがつ），２月（にがつ）等）に対応する音声圧縮データまたは各日の名称（一日（ついたち）、二日（ふつか）等の圧縮音声データ）を格納しておき、付加情報中の時刻情報に対応した圧縮音声データを、月の変り目または日の変り目に、読み出して音声出力させればよい。
【図面の簡単な説明】
【００３８】
【図１】監視用の記録再生装置の構成を示すブロック図である。
【符号の説明】
【００３９】
１  システムＬＳＩ
２  ビデオデコーダ(VIDEO DEC) 
３  ビデオエンコーダ(VIDEO ENC) 
４  Ａ／Ｄ変換器
５  MP3 エンコーダ(MP3 ENC) 
６  Ｄ／Ａ変換器
７  MP3 デコーダ(MP3 DEC) 
８  HARD DISK 
９  SDRAM 
１０  FLASH MEMORY
１１  操作部
【図１】
2005322355.tif 000003